【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
被処理水を逆浸透処理する逆浸透膜モジュールが１個又は複数配置されてなる膜ユニットを備え、
前記膜ユニットは、前記逆浸透膜モジュールが１個又は複数並列に配置された複数のバンクを直列に接続してなり、
複数の前記バンクのうち、１以上の前記バンクは、
前記被処理水を前記バンクに供給するための被処理水配管と、
前記バンクによって分離された濃縮水を前記バンクから排出するための濃縮水配管と、
前記被処理水配管を閉止可能な被処理水配管バルブと、
前記濃縮水配管を閉止可能な濃縮水配管バルブと、を有し、
前記被処理水配管バルブの上流側と前記濃縮水配管バルブの下流側との間には、前記バンクに供給される前記被処理水を前記バンクを迂回して排水可能な迂回管が接続しており、
前記被処理水配管バルブの下流側と前記濃縮水配管バルブの上流側との間には、前記バンクに配置された前記逆浸透膜モジュールに対して前記逆浸透膜モジュールを洗浄する薬洗水を供給可能な薬洗用配管が接続している逆浸透処理装置。
【請求項２】
請求項１に記載の逆浸透処理装置であって、
前記膜ユニットが、被処理水を逆浸透処理する逆浸透膜モジュールが１個又は複数配置されてなる第１バンクと、前記第１バンクによって分離された濃縮水を逆浸透処理する逆浸透膜モジュールが１個又は複数配置されてなる第２バンクと、からなり、
前記第１バンク及び前記第２バンクのうち、前記第１バンクが、前記被処理水配管と、前記濃縮水配管と、前記被処理水配管バルブと、前記濃縮水配管バルブと、を有し、
前記迂回管は、前記第１バンクに供給される前記被処理水を前記第１バンクを迂回して前記第２バンクに供給可能であり、
前記薬洗用配管は、前記第１バンクに配置された前記逆浸透膜モジュールに対して前記薬洗水を供給可能である逆浸透処理装置。
【請求項３】
請求項１に記載の逆浸透処理装置であって、
前記膜ユニットが、被処理水を逆浸透処理する逆浸透膜モジュールが１個又は複数配置されてなる第１バンクと、前記第１バンクによって分離された濃縮水を逆浸透処理する逆浸透膜モジュールが１個又は複数配置されてなる第２バンクと、からなり、
前記第１バンク及び前記第２バンクのうち、前記第２バンクが、前記被処理水配管と、前記濃縮水配管と、前記被処理水配管バルブと、前記濃縮水配管バルブと、を有し、
前記迂回管は、前記第２バンクに供給される前記被処理水を前記第２バンクを迂回して排水可能であり、
前記薬洗用配管は、前記第２バンクに配置された前記逆浸透膜モジュールに対して前記薬洗水を供給可能である逆浸透処理装置。
【請求項４】
請求項１に記載の逆浸透処理装置であって、
前記膜ユニットが、被処理水を逆浸透処理する逆浸透膜モジュールが１個又は複数配置されてなる第１バンクと、前記第１バンクによって分離された濃縮水を逆浸透処理する逆浸透膜モジュールが１個又は複数配置されてなる第２バンクと、からなり、
前記第１バンク及び前記第２バンクは、前記被処理水配管と、前記濃縮水配管と、前記被処理水配管バルブと、前記濃縮水配管バルブと、を有し、
前記迂回管は、前記第１バンクに供給される前記被処理水を前記第１バンクを迂回して前記第２バンクに供給可能な第１迂回管と、前記第２バンクに供給される前記濃縮水を前記第２バンクを迂回して排水可能な第２迂回管と、からなり、
前記薬洗用配管は、前記第１バンクに配置された前記逆浸透膜モジュールに対して前記薬洗水を供給可能な第１薬洗用配管と、前記第２バンクに配置された前記逆浸透膜モジュールに対して前記薬洗水を供給可能な第２薬洗用配管と、からなり、
前記被処理水を逆浸透処理する間に、前記第１バンク及び前記第２バンクのうち、一方のバンクに供給される前記被処理水を前記バンクを迂回させて排水しながら、残りのバンクを使用して逆浸透処理し、
前記第１バンク及び前記第２バンクのうち、残りのバンクを使用して前記被処理水を逆浸透処理する間に、前記被処理水を迂回させた前記バンクに前記薬洗水を供給して前記逆浸透膜モジュールを洗浄する逆浸透処理装置。
【請求項５】
請求項２から請求項４のいずれか一項に記載の逆浸透処理装置が複数並列に接続された逆浸透処理システムであって、
被処理水を供給する第１ポンプと、
前記第１ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記第２ポンプ、前記動力回収装置、及び、前記第３ポンプが、複数並列に接続された前記逆浸透処理装置毎に備えられた逆浸透処理システム。
【請求項６】
請求項２から請求項４のいずれか一項に記載の逆浸透処理装置が複数並列に接続された逆浸透処理システムであって、
被処理水を供給する第１ポンプと、
前記第１ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記動力回収装置、及び、前記第３ポンプが、複数並列に接続された前記逆浸透処理装置毎に備えられ、
前記第２ポンプが、複数並列に接続された前記逆浸透処理装置のそれぞれと接続して備えられた逆浸透処理システム。
【請求項７】
請求項２から請求項４のいずれか一項に記載の逆浸透処理装置が複数並列に接続された逆浸透処理システムであって、
被処理水を供給する第１ポンプと、
前記第１ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記第２ポンプ、及び、前記第３ポンプが、複数並列に接続された前記逆浸透処理装置毎に備えられ、
前記動力回収装置が、複数並列に接続された前記逆浸透処理装置のそれぞれと接続して備えられた逆浸透処理システム。
【請求項８】
請求項２から請求項４のいずれか一項に記載の逆浸透処理装置が複数並列に接続された逆浸透処理システムであって、
被処理水を供給する第１ポンプと、
前記第１ポンプの下流に配置され、前記被処理水を昇圧して逆浸透膜に逆浸透させる第２ポンプと、
前記第２バンクによって分離された濃縮水の残圧を利用して前記第１バンクに供給される前記被処理水を昇圧する動力回収装置と、
前記動力回収装置によって昇圧された前記被処理水を加圧する第３ポンプと、を更に備え、
前記第２ポンプ、及び、前記動力回収装置が、複数並列に接続された前記逆浸透処理装置毎に備えられ、
前記動力回収装置が、複数並列に接続された前記逆浸透処理装置のそれぞれと接続して備えられた逆浸透処理システム。
【請求項９】
被処理水を逆浸透処理する逆浸透膜モジュールが１個又は複数配置されてなる膜ユニットを備え、
前記膜ユニットは、前記逆浸透膜モジュールが１個又は複数並列に配置された複数のバンクを直列に接続してなる逆浸透処理装置において、
複数の前記バンクを使用して前記被処理水を逆浸透処理し、
前記被処理水を逆浸透処理する間に、複数の前記バンクのうち、一部の前記バンクに供給される前記被処理水を前記バンクを迂回させて排水しながら、複数の前記バンクのうち、残部の前記バンクを使用して前記被処理水を逆浸透処理し、
複数の前記バンクのうち、残部の前記バンクを使用して前記被処理水を逆浸透処理する間に、前記バンクに薬洗水を供給して前記逆浸透膜モジュールを洗浄する逆浸透処理方法。